【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
対象者の精神生理的反応性を評定する装置であって、前記装置は、
第１の電極及び第２の電極を介して前記対象者の皮膚に電気的刺激を与える刺激ユニットと、
前記電気的刺激に応答して、前記第１の電極と前記第２の電極との間のインピーダンスを示すインピーダンス信号を取得する感知ユニットと、
前記電気的刺激に応答して取得された前記インピーダンス信号に基づいて電気２重層を識別し、識別された前記電気２重層に基づいて、前記対象者が精神生理的反応状態にあるのか又は無反応状態にあるのかを判定する分析ユニットと
を備え、前記分析ユニットが、前記インピーダンス信号の過渡挙動に基づいて前記電気２重層を識別し、
前記分析ユニットが、１ミリ秒から５秒の時間スケールの過渡挙動に基づいて、前記対象者が前記精神生理的反応状態にあると判定し、
前記刺激ユニットが、前記第１の電極と前記第２の電極との間に電圧を印加する電圧源、並びに／又は前記第１の電極及び前記第２の電極に電流を流す電流源を備え、
前記刺激ユニットが、第１の電圧から第２の電圧までの階段関数又は第１の電流から第２の電流までの階段関数を含む電気的刺激を与える、装置。
【請求項２】
前記分析ユニットが、精神生理的反応状態と精神生理的無反応状態とを弁別し、電気２重層が存在しないことは、前記対象者が精神生理的無反応状態にあることを示す、請求項１に記載の装置。
【請求項３】
前記分析ユニットが、精神生理的反応状態と精神生理的無反応状態とを弁別し、電気２重層が存在することは、前記対象者が精神生理的反応状態にあることを示す、請求項１に記載の装置。
【請求項４】
前記分析ユニットが、前記電気的刺激に応答して取得された前記インピーダンス信号に基づいて、前記電気２重層を示す電圧障壁を評価することによって、前記電気２重層を識別する、請求項１に記載の装置。
【請求項５】
前記分析ユニットがさらに、１０ミリ秒から２秒の間、好ましくは２０ミリ秒から５００ミリ秒の間の時間スケールの過渡挙動に基づいて、前記対象者が前記精神生理的反応状態にあると判定する、請求項１に記載の装置。
【請求項６】
前記刺激ユニットが、電圧及び／又は電流プロファイルを与える、請求項１に記載の装置。
【請求項７】
前記刺激ユニットがＡＣ電気励振を与える、請求項１に記載の装置。
【請求項８】
前記感知ユニットが、前記第１の電極と前記第２の電極との間の時間変動する電流及び／又は電圧を取得する、請求項１に記載の装置。
【請求項９】
前記装置が、識別された前記精神生理的反応状態又は無反応状態と関連する情報を前記対象者に提供する出力ユニットをさらに備え、前記情報は、精神生理的無反応状態をどのように解決するのかについてのアドバイスを提供することを含む、請求項１に記載の装置。
【請求項１０】
対象者の精神生理的反応性を評定するシステムであって、前記システムは、
前記対象者の皮膚に接触させる第１の電極及び第２の電極と、
前記対象者の前記精神生理的反応性を評定する請求項１に記載の装置と
を備える、システム。
【請求項１１】
対象者の精神生理的反応性を評定する方法であって、前記方法は、
第１の電極及び第２の電極を介して前記対象者の皮膚に電気的刺激を与えるステップと、
前記電気的刺激に応答して、前記第１の電極と前記第２の電極との間のインピーダンスを示すインピーダンス信号を取得するステップと、
前記電気的刺激に応答して取得された前記インピーダンス信号に基づいて電気２重層を識別し、識別された前記電気２重層に基づいて、前記対象者が精神生理的反応状態にあるのか又は無反応状態にあるのかを判定するステップと
を有し、
前記電気２重層が、前記インピーダンス信号の過渡挙動に基づいて識別され、
１ミリ秒から５秒の時間スケールの過渡挙動に基づいて、前記対象者が前記精神生理的反応状態にあると判定され、
前記電気的刺激を与えるステップが、前記第１の電極と前記第２の電極との間に電圧を印加するステップ、並びに／又は電流源が前記第１の電極及び前記第２の電極に電流を流すステップを有し、
前記電気的刺激を与えるステップがさらに、第１の電圧から第２の電圧までの階段関数又は第１の電流から第２の電流までの階段関数を含む電気的刺激を与えるステップを有する、方法。
【請求項１２】
精神生理的反応状態と精神生理的無反応状態とを弁別するステップをさらに有し、電気２重層が存在しないことは、前記対象者が精神生理的無反応状態にあることを示す、請求項１１に記載の方法。
【請求項１３】
精神生理的反応状態と精神生理的無反応状態とを弁別するステップをさらに有し、電気２重層が存在することは、前記対象者が精神生理的反応状態にあることを示す、請求項１１に記載の方法。
【請求項１４】
前記電気的刺激に応答して取得された前記インピーダンス信号に基づいて、前記電気２重層を示す電圧障壁を評価することによって、前記電気２重層を識別するステップをさらに有する、請求項１１に記載の方法。
【請求項１５】
プログラム・コード手段を含むコンピュータ・プログラムであって、前記コンピュータ・プログラムがコンピュータ上で実行されたときに、前記プログラム・コード手段が、
第１の電極及び第２の電極を介して対象者の皮膚に与えられた電気的刺激に応答して、前記第１の電極と前記第２の電極との間のインピーダンスを示すインピーダンス信号を獲得するステップと、
前記電気的刺激に応答して取得された前記インピーダンス信号に基づいて電気２重層を識別し、識別された前記電気２重層に基づいて、前記対象者が精神生理的反応状態にあるのか又は無反応状態にあるのかを判定するステップと
を前記コンピュータに実行させ、
前記電気２重層が、前記インピーダンス信号の過渡挙動に基づいて識別され、
１ミリ秒から５秒の時間スケールの過渡挙動に基づいて、前記対象者が前記精神生理的反応状態にあると判定され、
前記電気的刺激を与えるステップが、前記第１の電極と前記第２の電極との間に電圧を印加するステップ、並びに／又は電流源が前記第１の電極及び前記第２の電極に電流を流すステップを有し、
前記電気的刺激を与えるステップがさらに、第１の電圧から第２の電圧までの階段関数又は第１の電流から第２の電流までの階段関数を含む電気的刺激を与えるステップを有する、コンピュータ・プログラム。
【手続補正２】
【補正対象書類名】明細書
【補正対象項目名】００３３
【補正方法】変更
【補正の内容】
【００３３】
【図１】図１は、対象者の精神生理的反応性を評定するシステムの一実施形態の略図である。
【図２】図２は、スマート・ウォッチなどの装着可能装置の形態の例示的な実施態様を示す図である。
【図３】図３は、汗腺を含む皮膚組織の簡略化された等価電気回路を示す図である。
【図４】図４は、対象者の精神生理的反応性を評定する方法の例示的な流れ図である。
【図５】図５Ａから図５Ｄは、与えられた電気的刺激及びそれに応答して取得されたインピーダンス信号の例示的なグラフである。
【手続補正３】
【補正対象書類名】明細書
【補正対象項目名】００５５
【補正方法】変更
【補正の内容】
【００５５】
図５Ａから図５Ｃに示された電圧プロファイルを与えることは必須ではないことに留意すべきである。単一の電圧ステップ、例えば２０〜５０％の低下する１回の電圧ステップでも十分なことがある。過渡挙動を評価するため、印加電圧を例えば１０ミリ秒未満、好ましくは５ミリ秒未満に短縮することができる。このようなステップの後、皮膚コンダクタンス測定用の標準的な測定電圧を再確立することができる。電圧プロファイルの他の例は、印加電圧を逆にすること又は転換することを含む。この実施形態の利点は、例えば印加電圧を転換するスイッチによる費用効果が高い実施にある。